(57)【要約】【課題】予め受信予約したチャンネルの番組を視聴中に、ユーザがチャンネル変更操作を複数回行っても、受信予約したチャンネルの番組を容易に受信できる放送受信装置を提供する。【解決手段】ユーザは、好みの番組の受信や、記録部２６に録画したコンテンツやディスク再生部２７にセットされた光ディスクに記録されたコンテンツの再生などを放送受信装置１に対して予約することができる。ユーザは、放送受信装置１の予約放送受信チャンネルを選択すると、受信予約した番組や再生予約したコンテンツをモニタ装置２で視聴できる。また、ユーザは、放送受信装置１のチャンネルを変更すると、そのチャンネルの番組を視聴でき、予約放送受信チャンネルにチャンネルを変更すると、予約した処理に基づく映像や音声を視聴できる。【選択図】図２
2004274598.tif 000002
【特許請求の範囲】
【請求項１】
チャンネルを選択するチャンネル選択手段と、前記チャンネル選択手段で選択されたチャンネルの放送を受信する受信手段と、を備えた放送受信装置において、
放送を受信するチャンネル及び時間帯を予約する予約手段と、
前記チャンネル選択手段で特定のチャンネルが選択されると、前記予約手段で予約された放送を前記受信手段に受信させる制御手段と、
前記特定のチャンネルのチャンネル番号を設定する設定手段と、
前記予約手段で受信が予約されていない時間帯に、前記受信手段で受信する放送を行うチャンネルを記憶する記憶手段と、を備え、
前記制御手段は、前記予約手段で受信が予約されていない時間帯に、前記チャンネル選択手段で前記予約放送受信チャンネルが選択されると、前記記憶手段が記憶するチャンネルの放送を前記受信手段に受信させ、
装置本体に対して電源の投入が行われた時に、前記特定のチャンネルが選択された際に受信する放送を前記受信手段に受信させることを特徴とする放送受信装置。
【請求項２】
チャンネルを選択するチャンネル選択手段と、前記チャンネル選択手段で選択されたチャンネルの放送を受信する受信手段と、を備えた放送受信装置において、
放送を受信するチャンネル及び時間帯を予約する予約手段と、
前記チャンネル選択手段で特定のチャンネルが選択されると、前記予約手段で予約された放送を前記受信手段に受信させる制御手段と、
を備えたことを特徴とする放送受信装置。
【請求項３】
前記特定のチャンネルのチャンネル番号を設定する設定手段を備えた請求項２に記載の放送受信装置。
【請求項４】
前記予約手段で受信が予約されていない時間帯に、前記受信手段で受信する放送を行うチャンネルを記憶する記憶手段を備え、
前記制御手段は、前記予約手段で受信が予約されていない時間帯に、前記チャンネル選択手段で前記予約放送受信チャンネルが選択されると、前記記憶手段が記憶するチャンネルの放送を前記受信手段に受信させる請求項２または３に記載の放送受信装置。
【請求項５】
前記制御手段は、装置本体に対して電源の投入が行われた時に、前記特定のチャンネルが選択された際に受信する放送を前記受信手段に受信させる請求項２乃至４のいずれかに記載の放送受信装置。
【発明の詳細な説明】
【０００１】
【発明の属する技術分野】
この発明は、別のチャンネルで放送される任意の番組を時間帯毎に切り替えて、特定のチャンネルで視聴できる放送受信装置に関する。
【０００２】
【従来の技術】
近年、既に普及しているアナログ放送に加えて、アナログ放送よりも高画質化・多チャンネル化が可能なＢＳ（Ｂｒｏａｄｃａｓｔｉｎｇ  Ｓａｔｅｌｌｉｔｅ）ディジタル放送やＣＳ（Ｃｏｍｍｕｎｉｃａｔｉｏｎｓ  Ｓａｔｅｌｌｉｔｅ）ディジタル放送に代表されるディジタル放送や、多チャンネル化されたケーブルテレビジョンが普及しつつある。また、日本では地上波アナログ放送に替えて、多チャンネル化が容易な地上波ディジタル放送が開始されようとしており、北米などでは既に地上波ディジタル放送が開始されている。
【０００３】
ＢＳ・ＣＳディジタル放送やケーブルテレビジョンでは、複数のチャンネルで放送が行われているので、従来のアナログ放送のように、時間帯によって異なるジャンルの番組を放送するチャンネルだけでなく、スポーツ、アニメーション、音楽、映画など同じジャンルの番組を専門に放送するチャンネルが複数用意されている。
【０００４】
ユーザは、これらの放送を受信する放送受信装置を使用することで、複数のチャンネルの中から所望の番組を放送しているチャンネルを選択して、モニタ装置で視聴することができる。しかしながら、アナログ放送に加えてＢＳ・ＣＳディジタル放送やケーブルテレビジョンを受信できる放送受信装置の場合、受信可能なチャンネル数が例えば１００チャンネル以上になる場合もある。そのため、ユーザが好みの番組を放送しているチャンネルを選択するのに、雑誌のような分厚い番組表を確認したり、チャンネルを切り替えながら放送している番組を確認したりしなければならなかった。このように、ユーザは、時間と労力をかけなければ、好みの番組を視聴できなかった。
【０００５】
このような問題に対して、従来、好みの番組のみを連続して自動的に受信できるディジタル放送受信装置があった（例えば、特許文献１参照。）。
【０００６】
特許文献１に記載のディジタル放送受信装置のユーザは、選択特定情報としてジャンルやタイトルや出演者などの番組タイプを選択することで、ディジタル放送受信装置が複数のチャンネルの中から自動的に選択したユーザの所望のタイプの番組を視聴することができる。また、同じタイプの番組が同一時間帯に複数放送される場合、ディジタル放送受信装置は、その旨をユーザに通知するので、ユーザはマニュアル操作で視聴する番組を選択することができる。さらに、上記のような場合、ディジタル放送受信装置自身がユーザに代わって番組を選択するように設定することもできる。
【０００７】
【特許文献１】
特開２００１−１６９１９４号公報（第３−８頁、第１−１９図）
【発明が解決しようとする課題】
しかしながら、このディジタル放送受信装置は、ユーザが設定した番組タイプに基づいて自動的に選択された番組を受信中に、ユーザがマニュアル操作で別のチャンネルに受信チャンネルを変更する操作を行った場合、自動的に選択された番組の受信予約が解除されてしまう。そのため、ユーザは、自動的に選択された番組のチャンネルを直接入力するか、または、チャンネルを順次切り替えてその番組を放送しているチャンネルを探さなければ、自動的に選択された番組を視聴することができない。しかしながら、このディジタル放送受信装置は、上記のようにユーザが設定した番組タイプに基づいて自動的に選択された番組を受信するので、ユーザは受信予約していたチャンネル番号がすぐにわからないため、このチャンネルを再度視聴するのが困難であるという問題があった。
【０００８】
そこで、本発明は、予め受信予約したチャンネルの番組を視聴中に、ユーザがチャンネル変更操作を複数回行っても、受信予約したチャンネルの番組を容易に受信できる放送受信装置を提供することを目的とする。
【０００９】
【課題を解決するための手段】
この発明は、上記の問題を解決するために、以下の構成を備えている。
【００１０】
（１）チャンネルを選択するチャンネル選択手段と、前記チャンネル選択手段で選択されたチャンネルの放送を受信する受信手段と、を備えた放送受信装置において、
放送を受信するチャンネル及び時間帯を予約する予約手段と、
前記チャンネル選択手段で特定のチャンネルが選択されると、前記予約手段で予約された放送を前記受信手段に受信させる制御手段と、
を備えたことを特徴とする。
【００１１】
この構成においては、ユーザは放送受信装置で特定のチャンネルを選択することで、予約した番組を視聴することができる。また、ユーザは別の番組を視聴するためにチャンネルを切り替えた時でも、予約した番組を受信するチャンネルであるこの特定のチャンネルを再度選択することで、予約した番組を視聴できる。したがって、ユーザは、特定のチャンネルを選択することで、チャンネルを切り替えることなく予約した番組を視聴することができる。また、ユーザは、受信予約設定が解除されることを気にせずに、予約した番組を視聴中でも自由にチャンネルを切り替えて他のチャンネルの番組を視聴することができる。
【００１２】
（２）前記特定のチャンネルのチャンネル番号を設定する設定手段を備えたことを特徴とする。
【００１３】
この構成においては、放送受信装置では、空きチャンネルであっても放送を行っているチャンネルであっても、予約した番組を受信するチャンネルとして設定できるので、ユーザは覚えやすい番号のチャンネルを設定することが可能となる。
【００１４】
（３）前記予約手段で受信が予約されていない時間帯に、前記受信手段で受信する放送を行うチャンネルを記憶する記憶手段を備え、
前記制御手段は、前記予約手段で受信が予約されていない時間帯に、前記チャンネル選択手段で前記予約放送受信チャンネルが選択されると、前記記憶手段が記憶するチャンネルの放送を前記受信手段に受信させることを特徴とする。
【００１５】
この構成においては、放送受信装置は、受信予約を行っていない時間帯には、予め設定したチャンネルの放送を受信する。したがって、ユーザは、予約を行っていない時間帯に、予約した放送を受信する特定のチャンネルを選択しても、番組を視聴することができる。また、ユーザが通常視聴するチャンネルの放送を受信するように設定しておくことで、ユーザは、受信予約を行う番組数を削減することができる。
【００１６】
（４）前記制御手段は、装置本体に対して電源の投入が行われた時に、前記特定のチャンネルが選択された際に受信する放送を前記受信手段に受信させることを特徴とする。
【００１７】
この構成においては、放送受信装置は、ユーザが放送受信装置の電源を切断・再投入を行うと、予約放送受信チャンネルが選択されたものとして、予約放送受信チャンネルに設定された番組を放送するチャンネルの放送信号を受信する。したがって、ユーザは、放送受信装置においてチャンネルを切り替えて他のチャンネルを受信している場合でも、放送受信装置の電源をオフ、オンすることで予約放送受信チャンネルを受信するように設定することができる。
【００１８】
【発明の実施の形態】
まず、本発明の実施形態に係る放送受信装置の構成について説明する。図１は、本発明の実施形態に係る放送受信装置の概略構成を示したブロック図である。放送受信装置１は、ある放送局の電波塔５や別の放送局の電波塔６から輻射された電波をアンテナ１１で受信し、放送信号を内部で処理して、表示手段であるモニタ装置２へ映像信号や音声信号を出力する。図１に示した放送受信装置１は、一例として地上波ディジタル放送及び従来の地上波アナログ放送を受信することができる構成である。
【００１９】
放送受信装置１は、アンテナ１１、チューナ部１２、ディジタル処理部１３、アナログ処理部１４、信号切替部１５、映像出力部１６、音声出力部１７、チューナ部２２、ディジタル処理部２３、アナログ処理部２４、記録再生処理部２５、記録部２６、ディスク再生部２７、リモコン３１、操作部３２、記憶部３３、及び制御部３４を備えた構成である。
【００２０】
図外のアナログ放送局やディジタル放送局など複数の放送局から出力された番組の放送データは、それぞれ異なる周波数の電波（放送信号）として、電波塔５や電波塔６から輻射される。チューナ部１２は、電波塔５や電波塔６から輻射されたアナログ放送信号またはディジタル放送信号をアンテナ１１を介して受信し、ＲＦ信号をディジタル処理部１３またはアナログ処理部１４へ出力する。
【００２１】
ディジタル処理部１３は、ディジタル放送信号を復号して信号切替部１５へ出力する。アナログ処理部１４は、アナログ放送信号を復号して信号切替部１５へ出力する。
【００２２】
信号切替部１５は、ディジタル処理部１３、アナログ処理部１４、記録再生処理部２５、またはディスク再生部２７のいずれかを選択して、これらのいずれかより出力された映像信号や音声信号を映像出力部１６及び音声出力部１７へ出力する。
【００２３】
映像出力部１６は、信号切替部１５から出力された映像信号をモニタ装置２で再生可能なアナログ信号に変換して、モニタ装置２へ出力する。なお、映像出力部１６は、ＯＳＤ（Ｏｎ  Ｓｃｒｅｅｎ  Ｄｉｓｐｌａｙ）機能を備えており、放送信号から番組  ガイド情報を抽出してモニタ装置２で表示可能な番組表データを出力する。
【００２４】
音声出力部１７は、信号切替部１５から出力された音声信号をモニタ装置２で再生可能なアナログ信号に変換して、モニタ装置２へ出力する。
【００２５】
チューナ部２２は、記録部２６で録画する番組を受信するために、電波塔５や電波塔６から輻射されたアナログ放送信号またはディジタル放送信号を、アンテナ１１を介して受信し、この放送信号をディジタル処理部２３またはアナログ処理部２４へ出力する。
【００２６】
ディジタル処理部２３は、ディジタル放送信号を復号して記録再生処理部２５へ出力する。アナログ処理部２４は、アナログ放送信号を復号して記録再生処理部２５へ出力する。
【００２７】
記録再生処理部２５は、ディジタル処理部２３またはアナログ処理部２４から出力された信号を記録部２６へ出力して、記録部２６にこの信号を記録させる。また、記録再生処理部２５は、記録部２６に記録されたデータを読み出して信号切替部１５へ出力する。記録部２６は、番組などの放送データを記録するためのものである。ディスク再生部２７は、ＣＤやＤＶＤなどの光ディスクに記録されたデータを読み出して、信号切替部１５へ出力する。
【００２８】
リモコン３１は、放送受信装置１で受信するチャンネルの選択や放送受信装置１における各種の設定操作を、放送受信装置１から離れた位置で行うためのものである。リモコン３１は、放送受信装置１で受信するチャンネルを連続的に切り替えることができるチャンネルアップダウンキー２０ａ、チャンネル番号を直接入力することができるテンキー３１ｂ、電源スイッチ３１ｃなどを備えている。
【００２９】
操作部３２は、放送受信装置１で受信するチャンネルの選択や放送受信装置１における各種の設定操作を行うためのものである。操作部３２は、リモコン３１から出力された信号を受信する信号受信部３２ａを備えている。また、図外の操作スイッチなどを備えている。
【００３０】
記憶部３３は、制御部３４が行う処理プログラムやチューナ部１２，２２が受信するチャンネルを登録したチャンネルマップなどを記憶している。ここで、チャンネルマップとは、周知のように、予め受信可能な全周波数帯域について番組を放送しているチャンネルを検出して、そのチャンネルを登録したものである。放送受信装置１は、ユーザがリモコン３１のチャンネルアップダウンキー２０ａのアップ側またはダウン側を所定の間隔で操作したことを検出すると、このチャンネルマップに登録されたチャンネルのチャンネル番号の昇順または降順に、放送信号を受信する。制御部３４は、放送受信装置１の各部の動作を制御する。また、制御部３４は、時計機能を備えている。
【００３１】
次に本発明の実施形態に係る放送受信装置の機能及び動作について説明する。
【００３２】
ユーザは、放送受信装置１に対して受信予約した放送を、特定のチャンネルを選択することで視聴できる。放送受信装置１は、ユーザが、好みの番組を放送するチャンネルの放送信号を受信するように受信予約を行った後に、予約した放送を受信する特定のチャンネル（予約放送受信チャンネルとも称する。）を選択すると、この受信予約した番組の放送信号を受信するように設定されている。また、放送受信装置１は、予約放送受信チャンネルの放送を受信中に、ユーザがリモコン３１や操作部３２を操作して別のチャンネルに受信チャンネルを切り替えても、番組の受信予約を解除しない。したがって、ユーザは、再度、予約放送受信チャンネルを選択すると、放送受信装置１に受信予約した番組を受信させることができる。
【００３３】
ユーザは、放送受信装置１に対して、習慣的に視聴する番組を毎週視聴できるように受信予約を行うこともできるし、単発で放送される番組を視聴できるように受信予約を行うこともできる。
【００３４】
また、ユーザは、放送受信装置１に対して、予約放送受信チャンネルとして任意のチャンネルを設定することができる。図２は、予約放送受信チャンネルが受信する番組を示した図である。ユーザは、放送受信装置１における放送が行われていない空きチャンネルを予約放送受信チャンネルに割り当てることも、放送が行われているチャンネルを予約放送受信チャンネルに割り当てることもできる。ユーザは、空きチャンネルを予約放送受信チャンネルに設定した場合、予約放送受信チャンネルを選択した際に、番組の受信予約が無い場合に受信するチャンネルとして任意のチャンネルを設定することができる。例えば、図２（Ａ）に示すように、ユーザが空きチャンネルである７チャンネルを予約放送受信チャンネルに設定し、番組の受信予約が無い場合に受信するチャンネルとして８チャンネルを設定した場合、放送受信装置１は番組の受信予約が無い時には、８チャンネルの放送信号を受信する。また、放送受信装置１は、番組の受信予約が行われている時間帯には予約された番組を受信する。具体的には、図２（Ａ）に示したように、放送受信装置１は、予約放送受信チャンネルとして７チャンネルが設定された場合、７チャンネルが選択されると、９時〜１０時には１０チャンネル、１２時〜１３時には１５チャンネル、１９時〜２１時には２１チャンネルの予約番組を受信し、その他の時間帯には８チャンネルを受信する。
【００３５】
一方、ユーザは、放送受信装置１の放送が行われているチャンネルを予約放送受信チャンネルに設定した場合、番組の受信予約が無い場合に受信するチャンネルを設定しなくても、予約放送受信チャンネルが選択された際には、本来このチャンネルで行っている放送を受信するように設定できる。例えば、図２（Ｂ）に示すように、ユーザは、放送が行われているチャンネルである１０チャンネルを予約放送受信チャンネルに設定した場合、放送受信装置１は、ユーザが特に操作を行わなくても番組の受信予約が無い時には自動的に１０チャンネルの放送信号を受信する。具体的には、図２（Ｂ）に示したように、予約放送受信チャンネルとして１０チャンネルが設定された場合、放送受信装置１は、１０チャンネルが選択されると、例えば８時〜１０時には１２チャンネル、１２時〜１３時には１５チャンネル、１８時〜２０時には２チャンネルの予約番組をを受信し、その他の時間帯には１０チャンネルを受信する。
【００３６】
もちろん、ユーザは、放送受信装置１に対して、空きチャンネルの場合と同様に、番組の受信予約が無い場合に受信するチャンネルとして任意のチャンネルを設定することもできる。
【００３７】
このように、ユーザは任意のチャンネルを予約放送受信チャンネルに設定できるので、例えば、視聴する番組が特定のチャンネルに集中している場合、このチャンネルを予約放送受信チャンネルに割り当てることで、お気に入り番組を受信するように予約する番組数を削減することができる。また、ユーザは、自分の好みの数字など覚えやすい番号のチャンネルを予約放送受信チャンネルに設定することで、予約放送受信チャンネルに設定したチャンネル番号を忘れないようにすることができる。
【００３８】
また、ユーザは、放送受信装置１に対して予約放送受信チャンネルを選択した際に、上記のように特定のチャンネルの放送信号を受信するように設定する代わりに、番組の受信予約が無い場合には、予約放送受信チャンネルに設定された予約番組の一覧である一週間のタイムテーブルや、現在受信予約がされていない旨を伝えるメッセージなどを表示するように設定することもできる。
【００３９】
［番組予約］
図３は、予約放送受信チャンネルの番組の受信予約例を示した図である。ユーザは、番組の受信予約を行う場合、モニタ装置２の画面に表示されたタイムテーブル（例えば１週間分のタイムテーブル）を確認しながら、リモコン３１または操作部３２を操作して、番組の受信予約を行うことができる。例えば、図３（Ａ）に示すように、ユーザは、新聞や雑誌などの番組表を参照しながら、リモコン３１を操作して所望の番組の受信予約を行うことができる。なお、図３（Ａ）には、１チャンネルを予約放送受信チャンネルに設定した場合に、日曜から土曜までの１７時３０分〜２２時に受信予約した番組の例を示している。放送受信装置１は、１チャンネルが選択された際に、受信予約が成されていない時間帯には、１チャンネルで放送される番組を受信する。
【００４０】
また、ユーザは、モニタ装置２の画面にＥＰＧ（Ｅｌｏｃｔｒｏｎｉｃ  Ｐｒｏｇｒａｍ  Ｇｕｉｄｅ：電子番組ガイド）を表示させて、番組の受信予約を行うこともできる。すなわち、図３（Ｂ）に示すように、放送受信装置１の映像出力部１６は前記のようにＯＳＤ機能を有しており、番組表を表示するように設定すると、映像出力部１６が放送信号から番組表データを抽出してモニタ装置２へ番組表データを出力する。ユーザは、モニタ装置２に表示された番組表を参照することで、番組の受信予約を容易に行うことができる。図３（Ｂ）においては、ＥＰＧに表示された番組をリモコン３１または操作部３２の操作することによって、予約放送受信チャンネル（１チャンネル）で受信する番組として、各番組が予約される様子を示している。すなわち、１８時〜１９時には２チャンネルの番組が、１９時〜２０時には５チャンネルの番組が、２０時から２２時には４チャンネルの番組が受信予約される。
【００４１】
映像出力部１６が放送信号から抽出する番組表データには、番組を容易に検索するためのキーワード情報が含まれている。信号切替部１５は、放送信号からＥＰＧのデータやキーワード情報を抽出して、記録再生処理部２５に記録部２６へこのデータ格納させる。図３（Ｃ）に示すように、ユーザは、番組の受信予約を行う際に、番組のジャンル、タイトル、出演者、関連する言葉などのキーワードをリモコン３１または操作部３２を操作して入力すると、制御部３４は記録部２６に記録されたＥＰＧのデータやキーワード情報に基づいて、該当する番組を抽出して、モニタ装置２の画面にこのデータを表示させる。したがって、ユーザは、番組の受信予約をさらに容易に行うことができる。図３（Ｃ）においては、キーワードとして「野球」を入力した結果、野球を放送するチャンネルと野球番組の放送時間帯がＥＰＧに表示され、３１チャンネルの野球番組を受信予約した場合を示している。
【００４２】
加えて、放送受信装置１は、お気に入り番組を設定いない時間帯には、記録部２６に予め記録させた動画や、ディスク再生部２７にセットしたＣＤやＤＶＤに記録された動画などのコンテンツを再生するように設定することもできる。
【００４３】
また、放送受信装置１では、好みの番組が同じ時間帯で重なっている場合、一方の番組を放送が行われている正規の時間帯に視聴するように設定して、他方の番組を記録部２６で記録しておき、任意の時間帯に視聴できるように設定することができる。例えば、同じ時間帯に放送される番組Ａと番組Ｂとがある場合、ユーザは番組Ａを正規の放送時間帯に視聴して、番組Ｂを記録部２６で記録するとともに、番組Ａの視聴が終了してから番組Ｂを視聴するように設定することができる。このようにすることで、ユーザは、同じ時間帯に放送される２つの番組をその日のうちに視聴することができる
［番組の受信］
ユーザは、放送受信装置１のリモコン３１または操作部３２を操作して、予約放送受信チャンネルを選択することで、受信予約した番組をモニタ装置２で視聴できる。また、放送受信装置１は、番組の受信予約が設定されている場合に、ユーザが予約放送受信チャンネルと異なるチャンネルを視聴していた場合、予約放送受信チャンネルで受信予約した番組の受信を開始することを伝えるテロップを表示するように設定することができる。放送受信装置１は、受信予約した番組の例えば開始１分前になると、モニタ装置２にテロップのデータを出力してこのテロップを表示させる。また、このテロップの代わりに、モニタ装置２から予約放送受信チャンネルで受信予約した番組の受信を開始することを伝える音声を出力するように設定することもできる。
【００４４】
ユーザは、予約放送受信チャンネルと異なるチャンネルを視聴していても、モニタ装置２の画面に表示されたテロップやモニタ装置２から出力された音声によって、受信予約した番組の開始を認識することができる。
【００４５】
また、ユーザは、放送受信装置１で受信予約した番組を放送しているチャンネルの放送信号を受信中に、別の番組を視聴するためにチャンネルを切り替えても、再度予約放送受信チャンネルを選択することで、再度予約していた番組をモニタ装置２で視聴することができる。前記のように、ユーザは、任意のチャンネルを予約放送受信チャンネルに設定することができるので、ユーザは覚えやすい番号のチャンネルを予約放送受信チャンネルに設定しておくことで、容易にチャンネルを切り替えることができる。
【００４６】
さらに、放送受信装置１は、電源を一度オフしてから再度電源をオンすると、予約放送受信チャンネルに設定された番組を放送しているチャンネルの放送信号を受信するように設定することができる。ユーザは、例えば、予約放送受信チャンネルを視聴していて、リモコン３１のアップダウンキー３１ａのアップ側を操作して別のチャンネルに切り替えた場合、アップダウンキー３１ａのダウン側を操作することで予約放送受信チャンネルを再度視聴することができる。または、ユーザは、テンキー３１ｂを操作して予約放送受信チャンネルのチャンネル番号を入力することで、予約放送受信チャンネルを表示させることができる。しかしながら、アップダウンキー３１ａやテンキー３１ｂを操作してチャンネルを複数回変更した場合、予約放送受信チャンネルを表示させるのには多少の操作時間が必要となり、すぐには予約放送受信チャンネルを視聴することができない。また、予約放送受信チャンネルのチャンネル番号をうっかり忘れてしまった場合、テンキー３１ｂからチャンネル番号を入力することができない。
【００４７】
放送受信装置１は、このような場合に備えて、電源を１度切ってから再度電源投入することで、予約放送受信チャンネルに受信チャンネルをリセットする機能を備えている。ユーザは、電源を一度オフしてから再度電源をオンすると、予約放送受信チャンネルが表示するように予め放送受信装置１に設定しておくことで、別のチャンネルの番組を視聴していても、電源をオフ・オンすることで、チャンネルの変更操作を行うことなく、短時間で予約放送受信チャンネルを表示させることができる。
【００４８】
次に、本発明の実施形態に係る放送受信装置において予約放送受信チャンネルの設定及び番組予約の際の動作について説明する。図４は、本発明の実施形態に係る放送受信装置の動作を説明するためのフローチャートである。
【００４９】
ユーザは、放送受信装置１のリモコン３０を操作して、まず、予約放送受信チャンネルを設定する。制御部３４は、この操作を検出すると、リモコン３０で指定された特定のチャンネルを予約放送受信チャンネルに設定する（ｓ１）。なお、予約放送受信チャンネルの設定を一度しておけば、次回からは自動的に処理の予約を行った際にコンテンツを表示するチャンネルはこのチャンネルに固定される。
【００５０】
次に、ユーザは、放送受信装置１のリモコン３０を操作して番組の受信予約を開始する。制御部３４は、この操作を検出すると、映像出力部１６を介してモニタ装置２に、番組の受信予約をどの設定モードで行うか問い合わせる表示を表示させる（ｓ２）。
【００５１】
ユーザは、この問い合わせに従って設定モードを選択する。制御部３４は、ユーザが直接設定モードが選択された場合（ｓ３）、図３（Ａ）に示したようなタイムテーブルをモニタ装置２に表示させる。ユーザは、リモコン３１または操作部３２を操作して予約する番組のチャンネル、放送時間帯、日時や曜日などを入力する（ｓ４）。
【００５２】
また、制御部３４は、ユーザがＥＰＧ設定モードを選択した場合（ｓ５）、図３（Ｂ）に示したようなタイムテーブルとＥＰＧを表示させる。ユーザはＥＰＧに表示された番組を選択して、受信予約する番組を設定する（ｓ６）。
【００５３】
また、制御部３４は、ユーザがキーワード設定モードを選択した場合（ｓ５）、図３（Ｃ）に示したようなタイムテーブルとＥＰＧとキーワード入力欄を表示させる（ｓ７）。ユーザは、キーワードを入力して関連する番組を検索させる  （ｓ８）。制御部３４は、この操作を検出すると、キーワードに基づいて記録部２６に記録した番組データべースを検索して、キーワードに関連する番組名などの情報をモニタ装置２へ表示させる（ｓ９）。
【００５４】
ユーザは、キーワードに基づいて検索された番組の中から所望の番組を選択して、受信予約を行う。制御部３４は、ステップｓ４，ｓ６，ｓ９において、ユーザの番組受信予約が完了すると（ｓ１０）、処理を終了する。
【００５５】
次に、放送受信装置１で受信予約を行った番組を受信する操作ついて説明する。図５は、本発明の実施形態に係る放送受信装置も動作を説明するためのフローチャートである。
【００５６】
ユーザは、放送受信装置１のリモコン３１を操作して、所望の番組をモニタ装置２で視聴している。放送受信装置１は、リモコン３１で選択された番組を放送しているチャンネルの放送信号を受信している（ｓ２１）。なお、放送受信装置１は、予約放送受信チャンネルとは異なるチャンネルの放送信号を受信しているものとする。この時点では、すぐに実行すべき受信予約やコンテンツの再生予約などはないものとする。
【００５７】
制御部３４は、予約処理のタイムテーブルを確認して、次の予約処理の開始時間と処理内容を確認し、予約された処理の開始時間が例えば１分前であるか否かを判定する（ｓ２２）。制御部３４は、予約された処理の開始１分前までまだ時間がある場合は、リモコン３１で選択された番組を放送しているチャンネルの放送信号を引き続き受信する。一方、制御部３４は、予約処理の開始時間の１分前になると、予約処理の開始１分前である通知をモニタ装置２に表示させるデータを映像出力部１６から出力させる（ｓ２３）。
【００５８】
ユーザは、モニタ装置２に表示されたこの通知を確認すると、リモコン３１を操作して予約放送受信チャンネルにチャンネルを変更する。制御部３４は、チャンネルの変更操作があるまで待機し、この操作を検出すると（ｓ２４）、チューナ部１２で受信するチャンネルを変更して、予約放送受信チャンネルの放送信号を受信する（ｓ２５）。
【００５９】
制御部３４は、ユーザが予約した処理が番組の受信であった場合（ｓ２６）、チューナ部１２で受信するチャンネルを変更して、予約された番組を放送するチャンネルの放送信号を受信する（ｓ２７）。
【００６０】
また、制御部３４は、ユーザが予約した処理が番組の受信及び別のチャンネルの録画であった場合（ｓ２８）、チューナ部１２で受信するチャンネルを変更して、予約された番組を放送するチャンネルの放送信号を受信して、モニタ装置２へ画像データや音声データを出力する。また、チューナ部２２で受信するチャンネルを変更して、予約された番組を記録部２６で録画する（ｓ２９）。
【００６１】
また、制御部３４は、ユーザが予約した処理がコンテンツの再生であった場合、記録部２６に記録（録画）された番組を再生するか、またはディスク再生部２７にセットされたＣＤやＤＶＤに記録された動画などのコンテンツを再生して、モニタ装置２へ画像データや音声データを出力する（ｓ３０）。
【００６２】
制御部３４は、ステップｓ２７，ｓ２９，ｓ３０の処理を実行後に、予約された処理の終了時間を確認して、終了時間になるまで予約された処理を続ける（ｓ３１）。制御部３４は、予約された処理の終了時間になると（ｓ３２）、この処理を終了して（ｓ３３）、次に予約された処理が有ると（ｓ３４）、その予約処理を開始する（ｓ３５）。そして、ステップｓ３１以降の処理を行う。
【００６３】
一方、予約された処理が続けて設定されていない場合（ｓ３４）、制御部３４は、予め設定されたチャンネルの放送信号をチューナ部１２に受信させて、モニタ装置２へ画像データや音声データを出力する（ｓ３６）。そして、ステップｓ２２以降の処理を行う。
【００６４】
【発明の効果】
本発明によれば、以下の効果が得られる。
【００６５】
（１）ユーザは放送受信装置で特定のチャンネルを選択することで、チャンネルを切り替えることなく予約した番組を視聴することができる。また、ユーザは、受信予約設定が解除されることを気にせずに、予約した番組を視聴中でも自由にチャンネルを切り替えて他のチャンネルの番組を視聴することができる。
【００６６】
（２）ユーザは、覚えやすい番号のチャンネルを予約した番組を受信・視聴するチャンネルに設定することができる。
【００６７】
（３）ユーザは、予約を行っていない時間帯に、予約した放送を受信する特定のチャンネルを選択しても、番組を視聴することができる。また、ユーザが通常視聴するチャンネルの放送を受信するように設定しておくことで、ユーザは、受信予約を行う番組数を削減することができる。
【００６８】
（４）ユーザは、放送受信装置においてチャンネルを切り替えて他のチャンネルを受信している場合でも、放送受信装置の電源をオフ、オンすることで予約放送受信チャンネルを受信するように設定することができる。
【図面の簡単な説明】
【図１】本発明の実施形態に係る放送受信装置の概略構成を示したブロック図である。
【図２】予約放送受信チャンネルが受信する番組を示した図である。
【図３】予約放送受信チャンネルの番組の受信予約例を示した図である。
【図４】本発明の実施形態に係る放送受信装置の動作を説明するためのフローチャートである。
【図５】本発明の実施形態に係る放送受信装置も動作を説明するためのフローチャートである。
【符号の説明】
１−放送受信装置、２−モニタ装置、５，６−電波塔、１１−アンテナ、
１２−チューナ部、２２−チューナ部、２６−記録部、２７−ディスク再生部、３１−リモコン、３２−操作部、３４−制御部
【図１】
2004274598.tif 000003
【図２】
2004274598.tif 000004
【図３】
2004274598.tif 000005
【図４】
2004274598.tif 000006
【図５】
2004274598.tif 000007